(57)【要約】      （修正有）【課題】出版物に添付されている「読者カード（読者アンケート）」ハガキに代わり、携帯電話の通信機能を使って、読者の出版物に対する感想・要望などを、効率的に収集し、結果を即座に集計し、読者アンケート結果情報をアンケートサービス委託者に報告するシステムを提供する。【解決手段】出版物に予め、読者アンケートデータサービス提供部１０１にリンクするＵＲＬの埋め込まれた識別コードが埋め込まれている画像を印刷し、読者アンケート回答部１０２が携帯電話１１７で撮像し、携帯電話により識別コードを解読し、読者がインターネットを介して出版社の読者アンケートに回答でき、読者から送信された読者アンケート回答結果を、読者アンケート依頼部１０３の要求に応じて集計し提供するケータイ読者カードシステムを構築する。【選択図】図１
0003148489.tif 000002
【実用新案登録請求の範囲】
【請求項１】
読者アンケートデータサービス提供部にリンクするＵＲＬを埋め込まれた識別コードを印刷した出版物と、
前記識別コードを解読し、前記読者アンケートデータサービス提供部にリンクするプログラムを内蔵した携帯電話と、
前記携帯電話から送られた前記読者アンケートデータを処理する前記読者アンケートデータサービス提供部と、
前記出版物の読者アンケートを依頼する読者アンケート依頼部と、を有するケータイ読者カードシステムであって、
前記読者アンケートデータサービス提供部は、受信部と集計部と送信部と、アンケート委託者よりのアンケート要求の入ったデータベースと、を有し、
前記読者アンケート依頼部は、読者アンケートの集計等のサービスを、読者アンケートデータサービス提供部に依頼する者（以下「読者アンケートサービス委託者」ともいう）であり、
出版物の読者は、前記携帯電話を使用して、前記出版物の前記識別コードを撮像し、解読して、前記読者アンケートデータサービス提供部にアンケートの回答を送信し、
前記集計部は、前記読者から送信された読者アンケートデータに関し、自動的に集計してレポート化し、
前記送信部は、前記集計部により作成された前記出版物の読者アンケート結果に関するレポートを、所定のアンケート依頼部であるアンケートサービス委託者に提出し、
前記アンケート依頼部であるアンケートサービス委託者は、前記読者アンケート結果を解析研究し、次回の新出版物の企画や販売促進に役立てることを目的とするケータイ読者カードシステム。
【請求項２】
請求項１に記載のケータイ読者カードシステムにおいて、
前記読者アンケートデータサービス提供部は、前記読者より送信された読者アンケートの回答結果を、前記出版物の種類に従って、読者アンケート依頼部である所定のアンケートサービス委託者の要求に応じた方法によって集計することを特徴とするケータイ読者カードシステム。
【請求項３】
請求項１乃至２のいずれかに記載のケータイ読者カードシステムにおいて、
前記読者アンケートサービス委託者は、前記ケータイ読者カードシステムを有する者（以下「アンケートサービス提供者」ともいう）から、前記ケータイ読者カードシステムのＡＳＰ（アプリケーション  サービス  プロバイダー）としてサービスを受け得ることを特徴とするケータイ読者カードシステム。
【請求項４】
請求項１乃至３のいずれかに記載のケータイ読者カードシステムにおいて、
前記読者アンケートの内容は、出版物を知ったきっかけ、購入の動機、どの書店で購入したか、今後どんな本が欲しいか、本の内容・価格についての評価、出版物に関するご意見・ご感想等を含むことを特徴とするケータイ読者カードシステム。
【請求項５】
請求項１乃至４のいずれかに記載のケータイ読者カードシステムにおいて、
前記読者アンケートデータサービス提供部は、前記読者アンケート回答結果の集計数が一定値に達したときに、前記読者アンケートの集計結果を前記アンケート委託者に提供することを特徴とするケータイ読者カードシステム。
【請求項６】
請求項１乃至４のいずれかに記載のケータイ読者カードシステムにおいて、
前記読者アンケートデータサービス提供部は、前記読者アンケート結果の集計する期間が一定値に達したときに、前記読者アンケートの集計結果を前記アンケート依頼部に提供することを特徴とするケータイ読者カードシステム。
【請求項７】
請求項１乃至４のいずれかに記載のケータイ読者カードシステムにおいて、
前記読者アンケートデータサービス提供部は、前記アンケート依頼部から要請のあったときに、前記読者アンケートの集計結果を前記アンケート依頼部に提供することを特徴とするケータイ読者カードシステム。
【請求項８】
請求項１乃至７のいずれかに記載のケータイ読者カードシステムにおいて、
前記出版物に印刷された識別コードに埋め込まれたコードには、人間の目で識別できる対応で埋め込まれたコードと、人間の目で識別できない対応で埋め込まれたコードとがあることを特徴とするケータイ読者カードシステム。
【考案の詳細な説明】
【技術分野】
【０００１】
本考案は、出版物に添付されている「読者カード（読者アンケート）」ハガキのアンケートによる感想・要望などを、携帯電話の通信機能を使って効率的に収集し、その結果を即座に集計し、その読者アンケート結果情報をアンケートサービス委託者に提供するシステムに関する。
【背景技術】
【０００２】
従来より一般の出版物には、図2に示されるように、出版物に関するアンケート方式の「読者カード（読者アンケート）」ハガキが添付されていることが多いが、現状は「読者カード（読者アンケート）」ハガキに回答し、ハガキをポストに投函し出版社に郵送する読者は少なく、この「読者カード（読者アンケート）」ハガキは有効利用されているとは言い難い。
【０００３】
一方、近年、種々の印刷物上のコードが埋め込まれた画像（識別コード）を、携帯電話のカメラ等で写すことにより、埋め込まれたコードを解読し、インターネットを介して、種々のコンテンツに接続するというコードの利用形態が普及しつつある。
【０００４】
特に携帯電話は、入力キーに制限があり、手でＵＲＬを入力するよりも有用な技術である。このようなコードが埋め込まれた画像は、一般的には、通常の画像とは異なり識別コードであることが人間の目に見える形状を有するものと、人間の目には通常の画像にしか見えないが人間の目に見えない状態でコードが埋め込まれているものがある。後者のようななコードは画像自体に意味を持たせることができ、美観や機能に優れている。
【０００５】
現代では大半の人々は、日常生活の中で携帯電話を活用し、携帯電話の機能の利用にも精通しているので、図２に示されるように、出版物の読者アンケートに対しても、ハガキを郵送するのではなく、携帯電話によってゲーム感覚で回答することの方を好むという携帯電話の使用に慣れた者の習性を利用して、読者アンケートの迅速な集計とその利用が可能である。
【特許文献１】特開  ２００７−２７９９３５
【考案の開示】
【考案が解決しようとする課題】
【０００６】
出版業界では、読者が容易に回答できて、回答の集計が迅速かつ容易であって、読者アンケート結果を出版社が次回の出版物の発行に有効利用できるような、読者アンケートが求められている。
【０００７】
そこで本考案は、図３に示されるように、読者アンケートデータサービス提供部にリンクするＵＲＬが埋め込まれている、出版物の一部に印刷された識別コードを、読者が携帯電話で写して、携帯電話が識別コードを解読し、読者がインターネットを介して読者アンケートに回答でき、読者アンケートの回答結果を、読者アンケート委託者の要求に応じて集計し提供できる、ケータイ読者カードシステムを提供することを目的とする。
【課題を解決するための手段】
【０００８】
請求項１に記載された考案は、ケータイ読者カードシステムに係り、
読者アンケートデータサービス提供部にリンクするＵＲＬを埋め込まれた識別コードを印刷した出版物と、
前記識別コードを解読し、前記読者アンケートデータサービス提供部にリンクするプログラムを内蔵した携帯電話と、
前記携帯電話から送られた前記読者アンケートデータを処理する前記読者アンケートデータサービス提供部と、
前記出版物の読者アンケートを依頼する読者アンケート依頼部と、を有するケータイ読者カードシステムであって、
前記読者アンケート依頼部は、読者アンケートの集計等を、読者アンケートデータサービス提供部に依頼するアンケートサービス委託者であり、
前記読者アンケートデータサービス提供部は、受信部と集計部と送信部と、アンケート委託者よりのアンケート要求の入ったデータベースと、を有し、
出版物の読者は、前記携帯電話を使用して、前記出版物の前記識別コードを撮像し、解読して、前記読者アンケートデータサービス提供部にアンケートの回答を送信し、
前記集計部は、前記読者から送信された読者アンケートデータに関し、アンケート項目毎に自動的に集計してレポート化し、
前記送信部は、前記集計部により作成された前記出版物の読者アンケート結果に関するレポートを、所定のアンケート委託者に提出し、
前記アンケート委託者は、前記読者アンケート結果を解析研究し、次回の新出版物の企画や販売促進に役立てることを目的とすることを特徴とする。
【０００９】
請求項２に記載された考案は、請求項１に記載のケータイ読者カードシステムに係り、
前記読者アンケートデータサービス提供部は、前記読者より送信された読者アンケートの回答結果を、前記出版物の種類に従って、読者アンケート依頼部である所定のアンケート委託者の要求に応じた方法によって集計することを特徴とする。
【００１０】
請求項３に記載された考案は、請求項１または2に記載のケータイ読者カードシステムに係り、
前記読者アンケートサービス委託者は、前記ケータイ読者カードシステムを有する者（以下「アンケートサービス提供者」ともいう）から、前記ケータイ読者カードシステムのＡＳＰ（アプリケーション  サービス  プロバイダー）としてサービスを受け得ることを特徴とする。
【００１１】
請求項４に記載された考案は、請求項１乃至３のいずれかに記載のケータイ読者カードシステムに係り
前記読者アンケートの内容は、出版物を知ったきっかけ、購入の動機、どの書店で購入したか、今後どんな本が欲しいか、本の内容・価格についての評価、出版物に関するご意見・ご感想等を含むことを特徴とする。
【００１２】
請求項５に記載された考案は、請求項１乃至４のいずれかに記載のケータイ読者カードシステムに係り、
前記読者アンケートデータサービス提供部は、前記読者アンケート回答結果の集計数が一定値に達したときに、前記読者アンケートの集計結果を前記アンケート委託者に提供することを特徴とする。
【００１３】
請求項６に記載された考案は、請求項１乃至４のいずれかに記載のケータイ読者カードシステムに係り、
前記読者アンケートデータサービス提供部は、前記読者アンケート結果の集計する期間が一定値に達したときに、前記読者アンケートの集計結果を前記アンケート依頼部に提供することを特徴とする。
【００１４】
請求項７に記載された考案は、請求項１乃至４のいずれかに記載のケータイ読者カードシステムに係り、
前記読者アンケートデータサービス提供部は、前記アンケート依頼部から要請のあったときに、前記読者アンケートの集計結果を前記アンケート依頼部に提供することを特徴とする。
【００１５】
請求項８に記載された考案は、請求項１乃至７のいずれかに記載のケータイ読者カードシステムに係り、
前記出版物に印刷された識別コードに埋め込まれたコードには、人間の目で識別できる対応で埋め込まれたコードと、人間の目で識別できない対応で埋め込まれたコードとがあることを特徴とする。
【考案の効果】
【００１６】
本考案に係るケータイ読者カードシステムによれば、出版社は、出版物についての読者の意見や感想等を、迅速かつ広範囲に吸い上げることが可能であり、出版物の販売促進や次回の出版物の企画等種々の検討事項に対し、この読者アンケート集計結果を有効利用できる。
【００１７】
出版社は、読者アンケートハガキの郵送料（切手代）及び、読者より投函されたアンケートハガキの集計に伴う作業の簡略化により、コストの削減を図ることができる。
【００１８】
出版物の読者は、本考案に係るケータイ読者カードシステムの利用により、切手を貼る必要もなく、携帯電話で手軽にアンケートに答えることが可能であり、出版物に対する読者の意見の反映も期待できる。
【考案を実施するための最良の形態】
【００１９】
以下、図を参照しつつ、本考案を実施するための最良の形態につき説明する。
（実施の形態１）
以下、図を参照して説明する。
【００２０】
図１は本考案に係るケータイ読者カードシステムの構成を示す概略説明図である。
図１において、１０１は読者アンケートデータサービス提供部であり、１０２はアンケート回答部であり、１０３はアンケート依頼部である。
【００２１】
読者アンケートデータサービス提供部１０１は、受信部１１１と、集計部１１２と、集計データ部１１３と、送信部１１４と、アンケート委託者よりのアンケート要求の入ったデータベース部１１５と、を有する。
【００２２】
データベース部１１５には、各アンケートサービス委託者より、種々の出版物に対して依頼を受けた読者アンケート項目および読者アンケート回答結果の集計方法に関して、データーベースとして保存されている。
【００２３】
受信部１１１が出版物の読者より受信したアンケート回答データは、集計部１１２において、各出版物に対して、アンケート依頼部１０３であるアンケートサービス委託者の要求に従った集計方法で集計され、データベース化されて１１３に保存され、アンケート依頼部１０３であるアンケートサービス委託者の要求に従った最適なタイミングで送信部１１４から送信または提出される。
【００２４】
出版物１０４には、読者アンケートデータサービス提供部にリンクするＵＲＬの埋め込まれた識別コードが埋め込まれている画像１１６が、出版物に読者アンケートハガキを添付する代わりに、出版物の一部に予め印刷されている。
【００２５】
なお、この識別コードには二次元バーコード、ＦＰコード（通常の画像の中に人間が解読できない状態でコードが埋め込まれているもの）等があるが、これ以外のコードであってもよい。
【００２６】
アンケート回答部１０２の読者は、識別コードを解読し、読者アンケートデータサービス提供部１０１にリンクするプログラムを内蔵した携帯電話１１７を使用して、読者アンケートデータサービス提供部にリンクするＵＲＬの埋め込まれた識別コードが埋め込まれている画像１１６を、撮影し、識別コードを解読することにより、読者はインターネット１０５を介して、読者アンケートに即座に回答できる。
【００２７】
（実施の形態２）
以下、図を参照して説明する。
【００２８】
図４において、１００はケータイ読者カードシステムであり、４０１はケータイ読者カードシステム１００を所有する読者アンケートサービス提供者であり、４０２はアンケート委託者である出版社よりの各種の要求を受けて、愛読者カード等の内容を定め、その企画実案を行う企画部であり、１０３は読者アンケートサービスを依頼するアンケートサービス委託者であり、４０３はアンケート委託者が望む読者アンケートサービスの内容であり、１１７は読者の携帯電話であり、１０２は読者アンケートに回答する読者である。
【００２９】
読者アンケート委託者１０３は、各出版物の読者アンケートに関して、読者アンケートサービス提供者４０１にＦＡＸ、Ｅ−ＭＡＩＬ、郵送等により、望んでいるサービスの概要を伝える。アンケートサービス提供者４０１の企画部４０２はアンケートサービス委託者のこの依頼を受けて、有効なアンケート項目等を企画実案し、入力情報をケータイ読者カードシステム１００に入力する。読者より受信したアンケートデータは、ケータイ読者カードシステムにより集計処理され保存された後に、読者アンケート委託者１０３に対して、適当な時期にデータの提供がなされる。
【００３０】
読者アンケート委託者１０３は、図４に示されるように、各出版物に対し、予め設定された最適なタイミングで、読者から回答されたアンケートの集計結果を、アンケートサービス提供者４０１から受け取ることが可能であり、簡易に読者アンケートカードシステム１００を利用したデータの取得ができる。
（実施の形態３）
実施の形態３は読者アンケートサービス委託者が読者アンケートカードシステム１００を読者アンケートサービス提供者４０１から借り受け、利用する利用者であって、読者アンケートサービス提供者４０１がケータイ読者カードシステムをＡＳＰ（アプリケーション  サービス  プロバイダー）としてサービスを提供する場合の概略である。
【００３１】
図５は実施の形態３の概略を示す説明図である。
【００３２】
以下、図を参照して説明する。
【００３３】
図５において、１００はケータイ読者カードシステムであり、５０３は読者アンケート依頼をするアンケートサービス委託者であり、１１７は読者の携帯電話であり、１０２は、読者アンケートに回答する読者であり、４０１はケータイ読者カードシステム１００を所有するアンケートサービス提供者である。
【００３４】
実施の形態３においては、アンケートサービス委託者５０３は、自社に適した読者アンケート内容を自社で創作したり、最適なタイミングで変更を加えたりすることが可能となる。
【図面の簡単な説明】
【００３５】
【図１】本考案に係るケータイ読者カードシステムの構成を示す概略説明図である。
【図２】読書カード（読書アンケート）に代わり、携帯電話でアンケートに回答するイメージを示す説明図である。
【図３】出版物の一部に印刷された、読者アンケートデータサービス提供部にリンクするＵＲＬの埋め込まれた識別コードが埋め込まれている画像を、読者が携帯電話で写している様子を示す説明図である。
【図４】本考案の実施の形態２を説明するための説明図である。
【図５】本考案の実施の形態３を説明するための説明図である。
【符号の説明】
【００３６】
１０１      読者アンケートデータサービス提供部
１０２      読者アンケート回答部
１０３      読者アンケート依頼部
１０４      読者アンケートデータサービス提供部にリンクするＵＲＬの埋め込まれた識別コードが埋め込まれている画像１１６が予め印刷されている出版物
１０５      インターネット
１０６      インターネット
１１１      読者アンケート受信部
１１２      読者アンケート集計部
１１３      読者アンケート集計結果データ部
１１４      読者アンケート集計結果送信部
１１５      アンケート委託者よりのアンケート要求の入ったデータベース
１１６      読者アンケートデータサービス提供部にリンクするＵＲＬの埋め込まれた識別コードが埋め込まれている画像
１１７      識別コードを解読し、読者アンケートデータサービス提供部１０１にリンクするプログラムを内蔵した携帯電話
【図１】
0003148489.tif 000003
【図２】
0003148489.tif 000004
【図３】
0003148489.tif 000005
【図４】
0003148489.tif 000006
【図５】
0003148489.tif 000007
【手続補正書】
【提出日】平成20年12月1日(2008.12.1)
【手続補正１】
【補正対象書類名】実用新案登録請求の範囲
【補正対象項目名】全文
【補正方法】変更
【補正の内容】
【実用新案登録請求の範囲】
【請求項１】
読者アンケートデータサービス提供部にリンクするＵＲＬを埋め込まれた識別コードを印刷した出版物と、  前記識別コードを解読し、前記読者アンケートデータサービス提供部にリンクするプログラムを内蔵した携帯電話と、  前記携帯電話から送られた前記読者アンケートデータを処理する前記読者アンケートデータサービス提供部と、  前記出版物の読者アンケートを依頼する読者アンケート依頼部と、を有するケータイ読者カードシステムであって、  前記読者アンケートデータサービス提供部は、受信部と集計部と送信部と、アンケート依頼部よりのアンケート要求の入ったデータベースと、を有し、  前記読者アンケート依頼部は、読者アンケートの集計等のサービスを、読者アンケートデータサービス提供部に依頼し、 アンケート回答部は、前記携帯電話を使用して、前記出版物の前記識別コードを撮像し、解読して、前記読者アンケートデータサービス提供部にアンケートの回答を送信し、  前記集計部は、アンケート回答部から送信された読者アンケートデータに関し、自動的に集計してレポート化し、  前記送信部は、前記集計部により作成された前記出版物の読者アンケート結果に関するレポートを、所定のアンケート依頼部に提出し、  前記アンケート依頼部は、前記読者アンケート結果を解析研究し、次回の新出版物の企画や販売促進に役立てることを目的とするケータイ読者カードシステム。
【請求項２】
請求項１に記載のケータイ読者カードシステムにおいて、  前記読者アンケートデータサービス提供部は、前記アンケート回答部より送信された読者アンケートの回答結果を、前記出版物の種類に従って、読者アンケート依頼部の要求に応じた方法によって集計することを特徴とするケータイ読者カードシステム。
【請求項３】
請求項１乃至２のいずれかに記載のケータイ読者カードシステムにおいて、前記読者アンケートサービス依頼部は、前記ケータイ読者カードシステムを有する読者アンケートデータサービス提供部から、前記ケータイ読者カードシステムのＡＳＰ（アプリケーション  サービス  プロバイダー）としてサービスを受け得ることを特徴とするケータイ読者カードシステム。
【請求項４】
請求項１乃至３のいずれかに記載のケータイ読者カードシステムにおいて、  前記読者アンケートの内容は、出版物を知ったきっかけ、購入の動機、どの書店で購入したか、今後どんな本が欲しいか、本の内容・価格についての評価、出版物に関するご意見・ご感想等を含むことを特徴とするケータイ読者カードシステム。
【請求項５】
請求項１乃至４のいずれかに記載のケータイ読者カードシステムにおいて、  前記読者アンケートデータサービス提供部は、前記読者アンケート回答結果の集計数が一定値に達したときに、前記読者アンケートの集計結果を前記アンケート依頼部に提供することを特徴とするケータイ読者カードシステム。
【請求項６】
請求項１乃至４のいずれかに記載のケータイ読者カードシステムにおいて、  前記読者アンケートデータサービス提供部は、前記読者アンケート結果の集計する期間が一定値に達したときに、前記読者アンケートの集計結果を前記アンケート依頼部に提供することを特徴とするケータイ読者カードシステム。
【請求項７】
請求項１乃至４のいずれかに記載のケータイ読者カードシステムにおいて、  前記読者アンケートデータサービス提供部は、前記アンケート依頼部から要請のあったときに、前記読者アンケートの集計結果を前記アンケート依頼部に提供することを特徴とするケータイ読者カードシステム。
【請求項８】
請求項１乃至７のいずれかに記載のケータイ読者カードシステムにおいて、  前記出版物に印刷された識別コードに埋め込まれたコードには、人間の目で識別できる対応で埋め込まれたコードと、人間の目で識別できない対応で埋め込まれたコードとがあることを特徴とするケータイ読者カードシステム。  
【手続補正２】
【補正対象書類名】明細書
【補正対象項目名】全文
【補正方法】変更
【補正の内容】
【考案の詳細な説明】
【技術分野】
【０００１】  本考案は、出版物に添付されている「読者カード（読者アンケート）」ハガキのアンケートによる感想・要望などを、携帯電話の通信機能を使って効率的に収集し、その結果を即座に集計し、その読者アンケート結果情報をアンケートサービス依頼部に提供するシステムに関する。
【背景技術】
【０００２】  従来より一般の出版物には、図2に示されるように、出版物に関するアンケート方式の「読者カード（読者アンケート）」ハガキが添付されていることが多いが、現状は「読者カード（読者アンケート）」ハガキに回答し、ハガキをポストに投函し出版社に郵送する読者は少なく、この「読者カード（読者アンケート）」ハガキは有効利用されているとは言い難い。【０００３】  一方、近年、種々の印刷物上のコードが埋め込まれた画像（識別コード）を、携帯電話のカメラ等で写すことにより、埋め込まれたコードを解読し、インターネットを介して、種々のコンテンツに接続するというコードの利用形態が普及しつつある。【０００４】  特に携帯電話は、入力キーに制限があり、手でＵＲＬを入力するよりも有用な技術である。このようなコードが埋め込まれた画像は、一般的には、通常の画像とは異なり識別コードであることが人間の目に見える形状を有するものと、人間の目には通常の画像にしか見えないが人間の目に見えない状態でコードが埋め込まれているものがある。後者のようなコードは画像自体に意味を持たせることができ、美観や機能に優れている。【０００５】  現代では大半の人々は、日常生活の中で携帯電話を活用し、携帯電話の機能の利用にも精通しているので、図２に示されるように、出版物の読者アンケートに対しても、ハガキを郵送するのではなく、携帯電話によってゲーム感覚で回答することの方を好むという携帯電話の使用に慣れた者の習性を利用して、読者アンケートの迅速な集計とその利用が可能である。【特許文献１】特開  ２００７−２７９９３５
【考案の開示】
【考案が解決しようとする課題】
【０００６】  出版業界では、読者が容易に回答できて、回答の集計が迅速かつ容易であって、読者アンケート結果を出版社が次回の出版物の発行に有効利用できるような、読者アンケートが求められている。【０００７】  そこで本考案は、図３に示されるように、読者アンケートデータサービス提供部にリンクするＵＲＬが埋め込まれている、出版物の一部に印刷された識別コードを、読者が携帯電話で写して、携帯電話が識別コードを解読し、読者がインターネットを介して読者アンケートに回答でき、読者アンケートの回答結果を、読者アンケート依頼部の要求に応じて集計し提供できる、ケータイ読者カードシステムを提供することを目的とする。
【課題を解決するための手段】
【０００８】  請求項１に記載された考案は、ケータイ読者カードシステムに係り、読者アンケートデータサービス提供部にリンクするＵＲＬを埋め込まれた識別コードを印刷した出版物と、  前記識別コードを解読し、前記読者アンケートデータサービス提供部にリンクするプログラムを内蔵した携帯電話と、  前記携帯電話から送られた前記読者アンケートデータを処理する前記読者アンケートデータサービス提供部と、  前記出版物の読者アンケートを依頼する読者アンケート依頼部と、を有するケータイ読者カードシステムであって、  前記読者アンケート依頼部は、読者アンケートの集計等を、読者アンケートデータサービス提供部に依頼し、  前記読者アンケートデータサービス提供部は、受信部と集計部と送信部と、アンケート依頼部よりのアンケート要求の入ったデータベースと、を有し、 アンケート回答部は、前記携帯電話を使用して、前記出版物の前記識別コードを撮像し、解読して、前記読者アンケートデータサービス提供部にアンケートの回答を送信し、  前記集計部は、前記アンケート回答部から送信された読者アンケートデータに関し、アンケート項目毎に自動的に集計してレポート化し、  前記送信部は、前記集計部により作成された前記出版物の読者アンケート結果に関するレポートを、所定のアンケート依頼部に提出し、  前記アンケート依頼部は、前記読者アンケート結果を解析研究し、次回の新出版物の企画や販売促進に役立てることを目的とすることを特徴とする。【０００９】  請求項２に記載された考案は、請求項１に記載のケータイ読者カードシステムに係り、  前記読者アンケートデータサービス提供部は、前記アンケート回答部より送信された読者アンケートの回答結果を、前記出版物の種類に従って、読者アンケート依頼部の要求に応じた方法によって集計することを特徴とする。【００１０】  請求項３に記載された考案は、請求項１または2に記載のケータイ読者カードシステムに係り、  前記読者アンケートサービス依頼部は、前記ケータイ読者カードシステムを有する読者アンケートデータサービス提供部から、前記ケータイ読者カードシステムのＡＳＰ（アプリケーション  サービス  プロバイダー）としてサービスを受け得ることを特徴とする。【００１１】  請求項４に記載された考案は、請求項１乃至３のいずれかに記載のケータイ読者カードシステムに係り  前記読者アンケートの内容は、出版物を知ったきっかけ、購入の動機、どの書店で購入したか、今後どんな本が欲しいか、本の内容・価格についての評価、出版物に関するご意見・ご感想等を含むことを特徴とする。【００１２】  請求項５に記載された考案は、請求項１乃至４のいずれかに記載のケータイ読者カードシステムに係り、  前記読者アンケートデータサービス提供部は、前記読者アンケート回答結果の集計数が一定値に達したときに、前記読者アンケートの集計結果を前記アンケート依頼部に提供することを特徴とする。【００１３】  請求項６に記載された考案は、請求項１乃至４のいずれかに記載のケータイ読者カードシステムに係り、  前記読者アンケートデータサービス提供部は、前記読者アンケート結果の集計する期間が一定値に達したときに、前記読者アンケートの集計結果を前記アン���ート依頼部に提供することを特徴とする。【００１４】  請求項７に記載された考案は、請求項１乃至４のいずれかに記載のケータイ読者カードシステムに係り、  前記読者アンケートデータサービス提供部は、前記アンケート依頼部から要請のあったときに、前記読者アンケートの集計結果を前記アンケート依頼部に提供することを特徴とする。【００１５】  請求項８に記載された考案は、請求項１乃至７のいずれかに記載のケータイ読者カードシステムに係り、  前記出版物に印刷された識別コードに埋め込まれたコードには、人間の目で識別できる対応で埋め込まれたコードと、人間の目で識別できない対応で埋め込まれたコードとがあることを特徴とする。
【考案の効果】
【００１６】  本考案に係るケータイ読者カードシステムによれば、出版社は、出版物についての読者の意見や感想等を、迅速かつ広範囲に吸い上げることが可能であり、出版物の販売促進や次回の出版物の企画等種々の検討事項に対し、この読者アンケート集計結果を有効利用できる。【００１７】  出版社は、読者アンケートハガキの郵送料（切手代）及び、読者より投函されたアンケートハガキの集計に伴う作業の簡略化により、コストの削減を図ることができる。【００１８】 アンケート回答部は、本考案に係るケータイ読者カードシステムの利用により、切手を貼る必要もなく、携帯電話で手軽にアンケートに答えることが可能であり、出版物に対する読者の意見の反映も期待できる。
【考案を実施するための最良の形態】
【００１９】  以下、図を参照しつつ、本考案を実施するための最良の形態につき説明する。（実施の形態１）  以下、図を参照して説明する。【００２０】  図１は本考案に係るケータイ読者カードシステムの構成を示す概略説明図である。図１において、１０１は読者アンケートデータサービス提供部であり、１０２はアンケート回答部であり、１０３はアンケート依頼部である。【００２１】  読者アンケートデータサービス提供部１０１は、受信部１１１と、集計部１１２と、集計データ部１１３と、送信部１１４と、アンケート依頼部よりのアンケート要求の入ったデータベース部１１５と、を有する。【００２２】  データベース部１１５には、各アンケートサービス依頼部より、種々の出版物に対して依頼を受けた読者アンケート項目および読者アンケート回答結果の集計方法に関して、データーベースとして保存されている。【００２３】  受信部１１１が出版物のアンケート回答部より受信したアンケート回答データは、集計部１１２において、各出版物に対して、アンケート依頼部１０３の要求に従った集計方法で集計され、データベース化されて１１３に保存され、アンケート依頼部１０３の要求に従った最適なタイミングで送信部１１４から送信または提出される。【００２４】  出版物１０４には、読者アンケートデータサービス提供部にリンクするＵＲＬの埋め込まれた識別コードが埋め込まれている画像１１６が、出版物に読者アンケートハガキを添付する代わりに、出版物の一部に予め印刷されている。【００２５】  なお、この識別コードには二次元バーコード、ＦＰコード（通常の画像の中に人間が解読できない状態でコードが埋め込まれているもの）等があるが、これ以外のコードであってもよい。【００２６】  アンケート回答部１０２は、識別コードを解読し、読者アンケートデータサービス提供部１０１にリンクするプログラムを内蔵した携帯電話１１７を使用して、読者アンケートデータサービス提供部にリンクするＵＲＬの埋め込まれた識別コードが埋め込まれている画像１１６を、撮影し、識別コードを解読することにより、アンケート回答部はインターネット１０５を介して、読者アンケートに即座に回答できる。【００２７】  （実施の形態２）  以下、図を参照して説明する。【００２８】  図４において、１００はケータイ読者カードシステムであり、４０１はケータイ読者カードシステム１００を所有する読者アンケートサービス提供部であり、４０２はアンケート依頼部よりの各種の要求を受けて、愛読者カード等の内容を定め、その企画実案を行う企画部であり、１０３は読者アンケートサービスを依頼するアンケートサービス依頼部であり、４０３はアンケート依頼部が望む読者アンケートサービスの内容であり、１１７はアンケート回答部の携帯電話であり、１０２は読者アンケートに回答するアンケート回答部である。【００２９】  読者アンケート依頼部１０３は、各出版物の読者アンケートに関して、読者アンケートサービス提供部４０１にＦＡＸ、Ｅ−ＭＡＩＬ、郵送等により、望んでいるサービスの概要を伝える。アンケートサービス提供部４０１の企画部４０２はアンケートサービス依頼部のこの依頼を受けて、有効なアンケート項目等を企画実案し、入���情報をケータイ読者カードシステム１００に入力する。アンケート回答部より受信したアンケートデータは、ケータイ読者カードシステムにより集計処理され保存された後に、読者アンケート依頼部１０３に対して、適当な時期にデータの提供がなされる。【００３０】  読者アンケート依頼部１０３は、図４に示されるように、各出版物に対し、予め設定された最適なタイミングで、アンケート回答部から回答されたアンケートの集計結果を、アンケートサービス提供部４０１から受け取ることが可能であり、簡易に読者アンケートカードシステム１００を利用したデータの取得ができる。（実施の形態３）  実施の形態３は読部アンケートサービス依頼部が読者アンケートカードシステム１００を読者アンケートサービス提供部４０１から借り受け、利用し、読者アンケートサービス提供部４０１がケータイ読者カードシステムをＡＳＰ（アプリケーション  サービス  プロバイダー）としてサービスを提供する場合の概略である。【００３１】  図５は実施の形態３の概略を示す説明図である。【００３２】  以下、図を参照して説明する。【００３３】  図５において、１００はケータイ読者カードシステムであり、５０３は読者アンケート依頼をするアンケートサービス依頼部であり、１１７はアンケート回答部の携帯電話であり、１０２は、読者アンケートに回答するアンケート回答部であり、４０１はケータイ読者カードシステム１００を所有するアンケートサービス提供部である。【００３４】  実施の形態３においては、アンケートサービス依頼部５０３は、自社に適した読者アンケート内容を自社で創作したり、最適なタイミングで変更を加えたりすることが可能となる。
【図面の簡単な説明】
【００３５】
【図１】本考案に係るケータイ読者カードシステムの構成を示す概略説明図である。
【図２】読書カード（読書アンケート）に代わり、携帯電話でアンケートに回答するイメージを示す説明図である。
【図３】出版物の一部に印刷された、読者アンケートデータサービス提供部にリンクするＵＲＬの埋め込まれた識別コードが埋め込まれている画像を、アンケート回答部が携帯電話で写している様子を示す説明図である。
【図４】本考案の実施の形態２を説明するための説明図である。
【図５】本考案の実施の形態３を説明するための説明図である。
【符号の説明】
【００３６】    １０１      読者アンケートデータサービス提供部    １０２      読者アンケート回答部    １０３      読者アンケート依頼部    １０４      読者アンケートデータサービス提供部にリンクするＵＲＬの埋め込まれた識別コードが埋め込まれている画像１１６が予め印刷されている出版物    １０５      インターネット    １０６      インターネット    １１１      読者アンケート受信部    １１２      読者アンケート集計部    １１３      読者アンケート集計結果データ部    １１４      読者アンケート集計結果送信部    １１５      アンケート依頼部よりのアンケート要求の入ったデータベース    １１６      読者アンケートデータサービス提供部にリンクするＵＲＬの埋め込まれた識別コードが埋め込まれている画像    １１７      識別コードを解読し、読者アンケートデータサービス提供部１０１にリンクするプログラムを内蔵した携帯電話